(57)【要約】【課題】画像表示にかかるコンピュータの演算負荷を低減可能であり、汎用性の高い情報表示制御装置を提供する。【解決手段】情報表示制御装置１０は、常時更新される常時更新画像を含む画像を表示部２１に表示させる表示処理部１１と、ユーザが行った操作に関する操作情報を操作入力部３１から取得する操作情報取得部１２とを備える。さらに情報表示制御装置１０は、操作情報取得部１２が取得した操作情報に基づいて、ユーザ操作と常時更新画像との関連度を判定する関連度判定部１４と、関連度判定部１４が判定した関連度に基づいて常時更新画像の更新頻度を制御する更新頻度制御部１５とを備える。【選択図】図１
2015219329.tif 000002
【特許請求の範囲】
【請求項１】
常時更新される常時更新画像を含む画像を表示部に表示させる表示処理部と、
ユーザが行った操作に関する操作情報を取得する操作情報取得部と、
前記操作情報に基づいて前記操作と前記常時更新画像との関連度を判定する関連度判定部と、
前記関連度に基づいて前記常時更新画像の更新頻度を制御する更新頻度制御部と、
を備えることを特徴とする情報表示制御装置。
【請求項２】
前記関連度判定部は、前記操作情報を取得するごとに前記関連度を判定し、
前記更新頻度制御部は、前記関連度が低下すると前記常時更新画像の更新頻度を下げ、前記関連度が増加すると前記常時更新画像の更新頻度を上げる
請求項１記載の情報表示制御装置。
【請求項３】
前記更新頻度制御部は、前記関連度の変化に応じて、前記常時更新画像の更新頻度を連続的または多段階的に変化させる
請求項１記載の情報表示制御装置。
【請求項４】
前記更新頻度制御部は、前記関連度が予め定められた閾値以下になると、前記常時更新画像の更新を停止させ、前記関連度が前記閾値よりも大きい値に戻ると、前記常時更新画像の更新を再開させる
請求項１記載の情報表示制御装置。
【請求項５】
前記関連度判定部は、前記操作情報取得部において新たな前記操作情報が取得されない状態が規定の時間以上続くと、前記関連度を予め定められた閾値より大きい値にする
請求項１記載の情報表示制御装置。
【請求項６】
前記常時更新画像の更新頻度には、通常値が定められており、
前記更新頻度制御部は、前記操作情報取得部において新たな前記操作情報が取得されない状態が規定の時間以上続くと、前記常時更新画像の更新頻度を前記通常値にする
請求項１記載の情報表示制御装置。
【請求項７】
前記通常値は、前記常時更新画像の更新頻度の最高値である
請求項６記載の情報表示制御装置。
【請求項８】
前記更新頻度制御部は、前記関連度が予め定められた閾値より大きいときは前記常時更新画像の更新頻度を第１頻度とし、
前記更新頻度制御部は、前記関連度が予め定められた閾値以下のときは前記常時更新画像の更新頻度を前記第１頻度よりも低い第２頻度とする
請求項１記載の情報表示制御装置。
【請求項９】
前記更新頻度制御部は、前記関連度が予め定められた閾値より大きいときは前記常時更新画像の更新頻度を第１頻度とし、
前記更新頻度制御部は、前記関連度が予め定められた閾値以下のときは前記常時更新画像の更新を停止させる
請求項１記載の情報表示制御装置。
【請求項１０】
前記関連度判定部は、前記操作情報取得部において新たな前記操作情報が取得されない状態が規定の時間以上続くと、前記関連度を予め定められた閾値より大きい値にする請求項８または請求項９記載の情報表示制御装置。
【請求項１１】
前記更新頻度制御部は、前記操作情報取得部において新たな前記操作情報が取得されない状態が規定の時間以上続くと、前記常時更新画像の更新頻度を前記第１頻度とする
請求項８または請求項９記載の情報表示制御装置。
【請求項１２】
前記操作情報には、前記操作の種別、前記操作の回数、前記操作の時間の長さ、前記操作による制御量、前記操作による制御方向、前記操作の対象となる画像およびその画像の表示領域、表示情報量、表示位置ならびに表示処理負荷、前記表示部の画面における前記操作の位置または領域のうちのいずれか１以上の情報が含まれ、
前記関連度判定部は、前記常時更新画像の種別、表示位置、表示領域、表示した情報の内容、表示数、表示処理負荷のいずれか１以上の情報と前記操作情報とに基づいて、前記操作と前記常時更新画像との関連度を判定する
請求項１記載の情報表示制御装置。
【請求項１３】
前記関連度判定部は、前記操作の対象となる画像の領域が前記常時更新画像を含んでいる場合は、前記操作の対象となる画像の領域が前記常時更新画像を含んでいない場合に比べて、前記関連度を高く判定する
請求項１記載の情報表示制御装置。
【請求項１４】
移動体に搭載される機器または携帯型の機器に組み込まれている
請求項１記載の情報表示制御装置。
【請求項１５】
表示処理部に、常時更新される常時更新画像を含む画像を表示させる工程と、
操作情報取得部に、ユーザが行った操作に関する操作情報を取得させる工程と、
関連度判定部に、前記操作情報に基づいて前記操作と前記常時更新画像との関連度を判定させる工程と、
更新頻度制御部に、前記関連度に基づいて前記常時更新画像の更新頻度を制御させる工程と、
を備えることを特徴とする情報表示制御方法。
【発明の詳細な説明】
【技術分野】
【０００１】
本発明は、情報表示制御装置および情報表示制御方法に関するものである。
【背景技術】
【０００２】
車載用や携帯型の情報表示装置は、小型化およびコスト低減の観点から、コンピュータリソースが限られることが多い。そのため、そのような情報表示装置では、ユーザが行った操作に対する画面更新などのレスポンスの遅れが生じることがある。例えば、メディア再生やラジオ聴取、地図表示などを行うアプリケーションの実行画面など、常時更新される画像を表示しているときは、コンピュータの演算負荷が高くなるため、上記の問題が生じやすい。
【０００３】
下記の特許文献１には、ナビゲーション装置において、車両の移動距離、速度などに応じて道路映像の更新頻度を下げることによって、ＣＰＵ（Central Processing Unit）の演算負荷を低減させる技術が開示されている。
【先行技術文献】
【特許文献】
【０００４】
【特許文献１】特開２００５−１４０６３８号公報
【発明の概要】
【発明が解決しようとする課題】
【０００５】
特許文献１の技術は、車両の移動距離や速度に基づいて画像（道路映像）の更新頻度を制御しており、ナビゲーション装置などの地図や道路映像を表示する装置に適用が限定され、それ以外の装置への適用が困難である。
【０００６】
本発明は以上のような課題を解決するためになされたものであり、画像表示にかかるコンピュータの演算負荷を低減可能であり、汎用性の高い情報表示制御装置を提供することを目的とする。
【課題を解決するための手段】
【０００７】
本発明に係る情報表示制御装置は、常時更新される常時更新画像を含む画像を表示部に表示させる表示処理部と、ユーザが行った操作に関する操作情報を取得する操作情報取得部と、操作情報に基づいて操作と常時更新画像との関連度を判定する関連度判定部と、当該関連度に基づいて常時更新画像の更新頻度を制御する更新頻度制御部と、を備えるものである。
【発明の効果】
【０００８】
本発明によれば、例えば、常時更新画像との関連性の低い操作が行われるときに、常時更新画像の更新頻度を下げることによって、情報表示制御装置を構成するコンピュータの演算負荷を低減させることができる。また、常時更新画像との関連性の高い操作が行われるときは、常時更新画像の更新頻度を高く維持することで、ユーザの利便性の低下を抑えることができる。
【図面の簡単な説明】
【０００９】
【図１】実施の形態１に係る情報表示システムの構成を示す図である。
【図２】表示部の画面表示例であるメディア再生画面を示す図である。
【図３】表示部の画面表示例であるラジオ画面を示す図である。
【図４】表示部の画面表示例であるナビゲーション画面を示す図である。
【図５】メディア再生画面におけるユーザ操作に応じた表示の遷移例を示す図である。
【図６】ラジオ画面におけるユーザ操作に応じた表示の遷移例を示す図である。
【図７】ナビゲーション画面におけるユーザ操作に応じた表示の遷移例を示す図である。
【図８】実施の形態１に係る情報表示システムにおける常時更新画像の更新頻度の制御動作を示すフローチャートである。
【図９】実施の形態２に係る情報表示システムにおける常時更新画像の更新頻度の制御動作を示すフローチャートである。
【発明を実施するための形態】
【００１０】
＜実施の形態１＞
図１は、実施の形態１に係る情報表示システムの構成を示す図である。当該情報表示システムは、情報表示制御装置１０、表示装置２０および操作入力装置３０から構成されている。
【００１１】
表示装置２０は、情報表示制御装置１０が出力する画像を表示する表示部２１を備えている。表示装置２０としては、液晶表示装置が代表的であるが、例えば、携帯情報端末、情報通信端末、ナビゲーション装置などを表示装置２０として使用し、それらの表示画面を表示部２１として利用してもよい。
【００１２】
操作入力装置３０は、ユーザの操作を受け付ける操作入力部３１を備えている。操作入力部３１の形態は任意でよく、例えば、操作スイッチ、操作ダイヤルなどのハードキーや、タッチパッド、ジェスチャ入力機器などのセンサ機器、音声による操作入力が可能な音声入力機器でもよい。また、携帯情報端末、情報通信端末、ナビゲーション装置などを操作入力装置３０として使用し、それらの操作手段（リモコンを含む）を操作入力部３１として利用してもよい。
【００１３】
さらに、操作入力装置３０は、画面に表示されるソフトウェアキーでもよい。操作入力部３１としてのソフトウェアキーは、表示装置２０の表示部２１に表示させてもよく、その場合、表示装置２０と操作入力装置３０は、両者の機能を兼ね備えた１つのタッチパネル装置として構成される。さらに、情報表示システムが車両に搭載される場合、運転操作機器の一部に操作入力部３１が設けられることも考えられる。
【００１４】
図１においては、表示部２１を備える表示装置２０と、操作入力部３１を備える操作入力装置３０と、情報表示制御装置１０とをそれぞれ個別に示したが、表示部２１および操作入力部３１の片方または両方が情報表示制御装置１０に内蔵される構成としてもよい。
【００１５】
図１に示すように、情報表示制御装置１０は、表示処理部１１、操作情報取得部１２、全体制御部１３、関連度判定部１４および更新頻度制御部１５を備えている。情報表示制御装置１０は、コンピュータを用いて構成されており、これらの各要素は、コンピュータがプログラムに従って動作することにより実現される。
【００１６】
表示処理部１１は、表示装置２０の表示部２１に表示させる画像を出力する。表示処理部１１が出力する画像には、常時更新されることで動的に表示される画像と、常時には更新されず静的に表示される画像とが含まれる。前者を「常時更新画像」と言い、後者を「否常時更新画像」と言う。また、表示処理部１１は、複数の画像を合成した合成画像を出力する場合があり、１つの合成画像に、常時更新画像と否常時更新画像の両方が含まれることもある。
【００１７】
操作情報取得部１２は、ユーザが操作入力部３１を用いて行った操作に関する操作情報を取得する。操作情報は、操作の対象および内容を示す情報であり、例えば、操作の種別、操作の回数、操作の時間の長さ、操作による制御量、操作による制御方向、操作の対象となる画像およびその画像の表示領域、表示情報量、表示位置ならびに表示処理負荷、表示部２１の画面における操作の位置または領域などを示す情報の１以上が含まれている。なお、操作による「制御量」および「制御方向」に関し、音量調整操作を例にすると、音量を変化させる量が制御量であり、音量を上げるか下げるかの方向が制御方向である。
【００１８】
全体制御部１３は、情報表示制御装置１０の各要素を統括的に制御する。また、本実施の形態では、全体制御部１３が、各種のアプリケーションプログラム（以下、単に「アプリケーション」と言う）を実行するアプリケーション実行部１３ａを備えているものとする。
【００１９】
全体制御部１３は、表示処理部１１を制御して、アプリケーション実行部１３ａで動作するアプリケーションの実行画面（アプリケーション画面）を表示部２１に表示させることができる。さらに、全体制御部１３は、操作入力部３１から操作情報取得部１２が取得した操作情報に基づいて、アプリケーション実行部１３ａで動作するアプリケーションを制御することができる。この構成により、ユーザは、表示部２１に表示されたアプリケーション画面に対する操作を、操作入力装置３０を用いて行うことができる。
【００２０】
なお、アプリケーション実行部１３ａが実行するアプリケーションプログラムおよびその動作に用いるデータ（例えばナビゲーション用のアプリケーションにおける地図データなど）は、情報表示制御装置１０の内部の記憶媒体に記憶されていてもよいし、外部のサーバー等から取得してもよい。さらに、アプリケーション実行部１３ａは、必要に応じて、アプリケーションの動作に用いる情報（例えばナビゲーション用のアプリケーションにおける位置情報など）を、情報表示制御装置１０の内部または外部のセンサ（加速度センサ、方位センサ等）や通信機（ＧＰＳ（Global Positioning System）受信機等）から取得してもよい。
【００２１】
また、アプリケーション実行部１３ａは、情報表示制御装置１０に外部接続された別の装置に設けられていてもよい。近年、スマートフォンや携帯電話などの通信端末との連携動作が可能な情報表示装置が実用化されており、例えば、情報表示制御装置１０が、スマートフォンで動作しているアプリケーションの画像を取得して、表示部２１に表示させたり、操作入力部３１に入力されたユーザ操作に応じてスマートフォンで動作しているアプリケーションを制御したりする形態をとることも可能である。
【００２２】
関連度判定部１４は、操作情報取得部１２が取得した操作情報と、表示処理部１１が出力する画像の情報を取得し、表示部２１に表示されている常時更新画像と、ユーザが操作入力部３１を用いて行った操作（ユーザ操作）との関連度を判定する。関連度判定部１４がユーザ操作と常時更新画像との関連度を判定する手法としては、様々なものが考えられるが、関連度判定部１４は、操作情報に含まれる情報（例えば、操作の種別、操作の回数、操作の時間の長さ、操作による制御量、操作による制御方向、操作の対象となる画像およびその画像の表示領域、表示情報量、表示位置ならびに表示処理負荷、表示部の画面における操作の位置または領域を示す情報）のうちの１以上の情報と、常時更新画像の種別、表示位置、表示領域、表示した情報の内容、表示数、表示処理負荷のうちの１以上の情報とに基づいて、ユーザ操作と常時更新画像との関連度を判定する。
【００２３】
更新頻度制御部１５は、関連度判定部１４が判定したユーザ操作と常時更新画像との関連度に基づいて、常時更新画像の更新頻度を制御する。具体的には、当該関連度が高い場合には更新頻度を高い値とし、関連度が低い場合には更新頻度を低い値にする。
【００２４】
以下、実施の形態１に係る情報表示システムの動作を説明する。まず、図２〜図７を用いて、その動作の概略を説明する。ここでは、表示部２１の画面表示例として、図２に示すメディア再生アプリケーションの実行画面（メディア再生画面）と、図３に示すラジオ聴取アプリケーションの実行画面（ラジオ画面）と、図４に示すナビゲーション用アプリケーションの実行画面（ナビゲーション画面）とを挙げる。
【００２５】
図２〜図４に示されている画面切り替えボタン１０１と、音量調整ボタン１０２は、メディア再生画面、ラジオ画面、ナビゲーション画面に共通のボタンである。画面切り替えボタン１０１には、メディア再生画面を表示させるためのメディア再生画面選択ボタン１０１ａと、ラジオ画面を表示させるためのラジオ画面選択ボタン１０１ｂと、ナビゲーション画面を表示させるためのナビゲーション画面選択ボタン１０１ｃとが含まれている。音量調整ボタン１０２は、情報表示制御装置１０に接続されたスピーカ（不図示）の音量調整するためのボタンであり、音量を上げる音量アップボタン１０２ａと、音量を下げる音量ダウンボタン１０２ｂとが含まれている。画面切り替えボタン１０１および音量調整ボタン１０２の画像は、ユーザによる操作が行われない限り変化させる必要がないため、それらは否常時更新画像である。
【００２６】
図２のように、メディア再生画面には、メディア（例えばＣＤ（Compact Disc））の再生状態を表示する再生状態表示画像１１０と、再生する対象（曲）を変更するための曲スキップボタン１１１と、再生の開始および停止を行うための再生開始／停止ボタン１１２とが表示される。再生状態表示画像１１０には、再生中のメディアのカバー画像、再生中の曲の番号およびタイトル、再生位置を示す時間の表示（再生時間表示）、再生位置をグラフィカルに示すプログレッションバーなどが含まれている。
【００２７】
曲スキップボタン１１１は、再生対象を現在再生中の曲からその１つ前の曲に変更するための前曲スキップボタン１１１ａと、再生対象を現在再生中の曲からその１つ後の曲に変更するための後曲スキップボタン１１１ｂとを含んでいる。再生開始／停止ボタン１１２は、再生の開始および停止を行うためのものであり、曲の再生中にはその再生を止めるための停止ボタンとして機能し、再生の停止中には曲の再生を開始させるための開始ボタンとして機能する。
【００２８】
メディア再生画面において、再生状態表示画像１１０の領域に含まれているプログレッションバーおよび再生時間表示の画像は、曲の再生の進行に合わせて更新する必要があるため、常時更新画像である。一方、曲スキップボタン１１１および再生開始／停止ボタン１１２の画像は、ユーザによる操作が行われない限り変化させる必要がないため、それらは否常時更新画像である。
【００２９】
図３のように、ラジオ画面には、現在受信中の放送局および選択可能な放送局を示す画像（アイコン）を含む放送局表示画像１２０と、受信する放送局を変更するための選局ボタン１２１とが表示される。放送局表示画像１２０には、現在受信中の放送局（図３ではＣ局）の画像が中央部に表示され、その左右に選択可能な放送局（図３ではＡ局，Ｂ局，Ｄ局，Ｅ局）の画像が表示される。
【００３０】
選局ボタン１２１は、受信対象を現在受信中の放送局からその１つ前（左隣）の放送局（Ｂ局）に変更するための前局選択ボタン１２１ａと、受信対象を現在受信中の放送局からその１つ後（右隣）の放送局（Ｄ局）に変更するための後局選択ボタン１２１ｂとを含んでいる。
【００３１】
ラジオ画面において、放送局表示画像１２０の領域に含まれている選択可能な放送局を示す画像は、現在位置や電波状態の変化に合わせて更新する必要があるため（特に、情報表示システムが移動体に搭載される機器や携帯端末に組み込まれる場合にはその必要性が高い）、常時更新画像である。一方、選局ボタン１２１の画像は、ユーザによる操作が行われない限り変化させる必要がないため、否常時更新画像である。
【００３２】
図４のように、ナビゲーション画面には、地図を表示する地図表示画像１３０と、当該地図の縮尺を変更するための縮尺調整ボタン１３１と、地図表示画像１３０に現在位置周辺の地図を表示させるための現在地表示ボタン１３２とが表示される。地図表示画像１３０には、地図上に現在位置（図４の三角形のアイコン）や、案内する経路（図４の太い点線）、交通情報（不図示）などが表示される。
【００３３】
縮尺調整ボタン１３１は、地図表示画像１３０の領域に表示される地図の縮尺を大きくする（地図を拡大する）ための拡大ボタン１３１ａと、地図表示画像１３０に表示される地図の縮尺を小さくする（地図を縮小する）ための縮小ボタン１３１ｂとを含んでいる。
【００３４】
ナビゲーション画面において、地図の表示は、現在位置や交通情報の変化に合わせて更新する必要があるため、それを表示する地図表示画像１３０は常時更新画像である。一方、縮尺調整ボタン１３１および現在地表示ボタン１３２の画像は、ユーザによる操作が行われない限り変化させる必要がないため、否常時更新画像である。
【００３５】
図５は、メディア再生画面におけるユーザ操作に応じた表示の遷移例を示す図である。ここでは、ユーザが操作を行う操作入力部３１はハードキーであるものと仮定する。当該ハードキーには、画面上で操作対象を選択するカーソルを移動させるための方向キー（「上キー」、「下キー」、「左キー」、「右キー」）と、カーソルにより選択された画像（ボタンなど）に対応する処理を実行させるための「決定キー」が含まれるものとする。ユーザは、カーソルを移動させることで操作対象の画像を選択でき、決定キーを押すことでその選択された画像に対応する処理を実行させることができる。なお、図２〜図７において、カーソルは砂地模様で表されている。
【００３６】
次に、図５を用いて、表示部２１にメディア再生画面が表示されている場合における、情報表示制御装置１０の関連度判定部１４および更新頻度制御部１５の動作例を説明する。先に述べたように、関連度判定部１４は、操作入力部３１に入力されるユーザ操作と表示部２１に表示されている常時更新画像との関連度を判定し、更新頻度制御部１５が、その関連度に基づいて常時更新画像の更新頻度を制御する。
【００３７】
本実施の形態では、ユーザ操作と常時更新画像との関連度についての閾値が予め定められており、関連度判定部１４は、カーソルによって常時更新画像を含む画像が選択されているときは、当該関連度が閾値よりも大きいと判定し、それ以外の画像が選択されているときは当該関連度が閾値以下と判定するものとする。なお、カーソルの位置（操作の対象となる画像）は、操作情報を解析することによって求めることができる。
【００３８】
また本実施の形態では、更新頻度制御部１５は、当該関連度が閾値よりも大きいときは常時更新画像の更新頻度を通常値（通常頻度）である第１頻度にし、関連度が閾値以下のときは常時更新画像の更新頻度を通常値よりも低い第２頻度とする。第２頻度はコンピュータの負荷を低減させる目的で更新頻度を通常値から下げた値である。また、常時更新画像の更新頻度が第１頻度（通常頻度）になるときの関連度を、関連度の通常値とする（関連度の通常値は閾値よりも大きい）。
【００３９】
まず、表示部２１にメディア再生画面が表示され、図５（ａ）のように、カーソルによって再生状態表示画像１１０が選択されている状態を想定する。再生状態表示画像１１０は常時更新画像であるプログレッションバーおよび再生時間表示を含んでいるので、この場合、関連度判定部１４は、ユーザ操作と常時更新画像との関連度が閾値よりも大きいと判定する。従って、再生状態表示画像１１０内のプログレッションバーおよび再生時間表示の更新頻度は、更新頻度制御部１５によって第１頻度（通常頻度）に設定される。
【００４０】
図５（ａ）の状態から、ユーザが下キーを押すと、図５（ｂ）のようにカーソルが前曲スキップボタン１１１ａへ移動する。前曲スキップボタン１１１ａは否常時更新画像であるので、関連度判定部１４は、ユーザ操作と常時更新画像との関連度は低いと判定し、関連度が閾値以下と判定される。従って、再生状態表示画像１１０内のプログレッションバーおよび再生時間表示の更新頻度は、更新頻度制御部１５によって第２頻度に変更される。
【００４１】
図５（ｂ）の状態から、ユーザが右キーを押してカーソルを後曲スキップボタン１１１ｂに移動させ、さらに決定キーを押すと、図５（ｃ）のように再生対象がそれまでの曲（５曲目）の次の曲（６曲目）に変更される。このときカーソルは否常時更新画像である後曲スキップボタン１１１ｂを選択しているので、関連度判定部１４は、ユーザ操作と常時更新画像との関連度が閾値以下と判定し、更新頻度制御部１５は、再生状態表示画像１１０内のプログレッションバーおよび再生時間表示の更新頻度を第２頻度から変化させない。
【００４２】
図５（ｃ）の状態から、ユーザが上キーを押すと、図５（ｄ）のようにカーソルが再生状態表示画像１１０に戻る。再生状態表示画像１１０は常時更新画像であるプログレッションバーおよび再生時間表示を含んでいるので、関連度判定部１４は、ユーザ操作と常時更新画像との関連度が閾値よりも大きいと判定し、更新頻度制御部１５は、再生状態表示画像１１０内のプログレッションバーおよび再生時間表示の更新頻度を第１頻度（通常頻度）に戻す。
【００４３】
一方、図５（ｂ）の状態から、ユーザが右キーを２回押してカーソルを再生開始／停止ボタン１１２に移動させ、さらに決定キーを押すと、図５（ｅ）のように曲の再生が停止される（このとき、再生開始／停止ボタン１１２は「停止」ボタンから「開始」ボタンに変化する）。再生停止中はプログレッションバーおよび再生時間表示を変化させる必要がないので、本実施の形態では、再生停止中のときは再生状態表示画像１１０内のプログレッションバーおよび再生時間表示は更新しないものとする。
【００４４】
また、ユーザが表示部２１に表示させるアプリケーションの画面を切り替えたい場合は、図５（ａ）または図５（ｄ）の状態から、上キーを押して図５（ｆ）のようにカーソルを画面切り替えボタン１０１に移動させ、さらに左キー、右キーおよび決定キーを使ってアプリケーションを選択する。例えば、図５（ｆ）の状態から、右キーを押してカーソルをラジオ画面選択ボタン１０１ｂに合わせ、決定キーを押すと、図５（ｇ）のように表示部２１の表示をラジオ画面に切り替えることができる。図５（ｆ）および図５（ｇ）の状態では、カーソルが否常時更新画像である画面切り替えボタン１０１を選択しているため、関連度判定部１４は、ユーザ操作と常時更新画像との関連度が閾値以下と判定し、更新頻度制御部１５は、再生状態表示画像１１０内のプログレッションバーおよび再生時間表示の更新頻度を第２頻度に設定する。
【００４５】
図６は、ラジオ画面におけるユーザ操作に応じた表示の遷移例を示す図である。ここでは、図６を用いて、表示部２１にラジオ画面が表示されている場合における、情報表示制御装置１０の関連度判定部１４および更新頻度制御部１５の動作例を説明する。
【００４６】
まず、図６（ａ）のように、カーソルによって放送局表示画像１２０が選択されている状態を想定する。放送局表示画像１２０は常時更新画像である各放送局の画像を含んでいるので、この場合、関連度判定部１４は、ユーザ操作と常時更新画像との関連度が閾値よりも大きいと判定する。従って、放送局表示画像１２０内の各放送局の画像の更新頻度は、更新頻度制御部１５によって第１頻度（通常頻度）に設定される。
【００４７】
図６（ａ）の状態から、ユーザが下キーを押すと、図６（ｂ）のようにカーソルが前局選択ボタン１２１ａへ移動する。前局選択ボタン１２１ａは否常時更新画像であるので、関連度判定部１４は、ユーザ操作と常時更新画像との関連度が閾値以下と判定する。従って、放送局表示画像１２０内の各放送局の画像の更新頻度は、更新頻度制御部１５によって第２頻度に変更される。
【００４８】
図６（ｂ）の状態から、ユーザが右キーを押してカーソルを後局選択ボタン１２１ｂに移動させ、さらに決定キーを押すと、図６（ｃ）のように受信対象の放送局がそれまでの局（Ｃ局）の次の局（Ｄ局）に変更される。このときカーソルは否常時更新画像である後局選択ボタン１２１ｂを選択しているので、関連度判定部１４は、ユーザ操作と常時更新画像との関連度が閾値以下と判定し、更新頻度制御部１５は、放送局表示画像１２０内の各放送局の画像の更新頻度を第２頻度から変化させない。
【００４９】
図６（ｃ）の状態から、ユーザが上キーを押すと、図６（ｄ）のようにカーソルが放送局表示画像１２０に戻る。放送局表示画像１２０は常時更新画像である各放送局の画像を含んでいるので、関連度判定部１４は、ユーザ操作と常時更新画像との関連度が閾値よりも大きいと判定し、更新頻度制御部１５は、放送局表示画像１２０内の各放送局の画像の更新頻度を第１頻度（通常頻度）に戻す。
【００５０】
図７は、ナビゲーション画面におけるユーザ操作に応じた表示の遷移例を示す図である。ここでは、図７を用いて、表示部２１にナビゲーション画面が表示されている場合における、情報表示制御装置１０の関連度判定部１４および更新頻度制御部１５の動作例を説明する。
【００５１】
まず、図７（ａ）のように、カーソルによって地図表示画像１３０が選択されている状態を想定する。地図表示画像１３０は常時更新画像であるので、この場合、関連度判定部１４は、ユーザ操作と常時更新画像との関連度が閾値よりも大きいと判定する。従って、地図表示画像１３０の更新頻度は、更新頻度制御部１５によって第１頻度（通常頻度）に設定される。
【００５２】
図７（ａ）の状態から、ユーザが下キーを押すと、図７（ｂ）のようにカーソルが拡大ボタン１３１ａへ移動する。拡大ボタン１３１ａは否常時更新画像であるので、関連度判定部１４は、ユーザ操作と常時更新画像との関連度が閾値以下と判定する。従って、地図表示画像１３０の更新頻度は、更新頻度制御部１５によって第２頻度に変更される。
【００５３】
図７（ｂ）の状態から、ユーザが右キーを押してカーソルを縮小ボタン１３１ｂに移動させ、さらに決定キーを押すと、図７（ｃ）のように地図表示画像１３０に表示される地図の縮尺が小さくなる。このときカーソルは否常時更新画像である縮小ボタン１３１ｂを選択しているので、関連度判定部１４は、ユーザ操作と常時更新画像との関連度が閾値以下と判定し、更新頻度制御部１５は、地図表示画像１３０の更新頻度を第２頻度から変化させない。
【００５４】
図７（ｃ）の状態から、ユーザが上キーを押すと、図７（ｄ）のようにカーソルが地図表示画像１３０に戻る。地図表示画像１３０は常時更新画像であるので、関連度判定部１４は、ユーザ操作と常時更新画像との関連度が閾値よりも大きいと判定し、更新頻度制御部１５は、地図表示画像１３０の更新頻度を第１頻度（通常頻度）に戻す。
【００５５】
このように本実施の形態では、ユーザ操作の対象（カーソルの位置）が常時更新画像を含む画像（または領域）であるときは、常時更新画像の更新頻度は通常頻度に維持され、ユーザ操作の対象が常時更新画像を含む画像から外れると、常時更新画像の更新頻度が下がり情報表示制御装置１０のコンピュータ（ＣＰＵ）の演算負荷が低減される。よって、ユーザの利便性を維持しつつ、コンピュータの演算負荷を低減することができる。
【００５６】
ただし、上で説明した動作だけでは、ユーザが常時更新画像との関連度の低い操作を行った後、その後の操作が規定の時間以上行われない場合でも、常時更新画像の更新頻度が第２頻度になったままとなり、ユーザの利便性が低下することが懸念される。そこで、本実施の形態では、ユーザ操作が行われない状態が規定の時間以上続くと、常時更新画像の更新頻度を第１頻度（通常頻度）にする。具体的には、ユーザ操作が行われない状態が規定の時間以上続いた場合に、関連度判定部１４が、ユーザ操作と常時更新画像との関連度を通常値に設定する。関連度の通常値は閾値よりも大きいため、常時更新画像の更新頻度は、更新頻度制御部１５によって第１頻度（通常頻度）に設定される。図５〜７を用いた説明では、この動作については省略したが、メディア再生画面、ラジオ画面、ナビゲーション画面においても、ユーザ操作が行われない状態が規定の時間以上続くと、常時更新画像の更新頻度は第１頻度とする。
【００５７】
図８は、実施の形態１に係る情報表示システムにおける常時更新画像の更新頻度の制御動作を示すフローチャートである。この動作は、情報表示制御装置１０の関連度判定部１４および更新頻度制御部１５において行われる。
【００５８】
情報表示制御装置１０が動作を開始すると、関連度判定部１４は、表示処理部１１が出力する画像の情報を取得して、表示部２１に常時更新画像が表示されているか否かを確認する（ステップＳ１）。表示部２１に常時更新画像が表示されていなければ（ステップＳ１でＮＯ）、常時更新画像の更新頻度を制御する必要がないため、常時更新画像が表示されるまでステップＳ１が繰り返される。
【００５９】
表示部２１に常時更新画像が表示されていれば（ステップＳ１でＹＥＳ）、その常時更新画像が更新停止中でないかを確認する（ステップＳ２）。例えば、図５（ｅ）のように、メディア再生画面において再生が停止されているときは、常時更新画像である再生状態表示画像１１０内のプログレッションバーおよび再生時間表示の更新が停止された状態になっている。常時更新画像が更新停止中であるときは（ステップＳ２でＹＥＳ）、常時更新画像の更新頻度を制御する必要がないため、更新停止が解除されるまでステップＳ１，Ｓ２が繰り返される。
【００６０】
表示部２１に表示されている常時更新画像が更新停止中でなければ（ステップＳ２でＮＯ）、関連度判定部１４は、操作入力部３１に対するユーザ操作が行われたか否かを確認する（ステップＳ３）。この処理は、関連度判定部１４が操作入力部３１から操作情報を取得することによって行われる。なお、図５（ｇ）のように、ユーザ操作によって画面が遷移した場合（アプリケーション画面が切り替えられた場合）には（ステップＳ４でＹＥＳ）、ステップＳ１へと戻る。
【００６１】
ユーザ操作が行われても画面の遷移がなかった場合（ステップＳ４でＮＯ）、関連度判定部１４は、関連度判定部１４が出力する操作情報を解析し、その解析結果に基づいて、ユーザ操作と常時更新画像との関連度を判定する（ステップＳ５）。実施の形態１では、ユーザ操作の対象を示すカーソルが常時更新画像を含む画像を選択しているか否かを確認し、常時更新画像を含む画像が選択されていれば関連度が閾値よりも大きいと判定され、否常時更新画像が選択されていれば関連度は閾値以下と判定される。
【００６２】
その後、更新頻度制御部１５は、関連度判定部１４の判定結果に基づいて、常時更新画像の更新頻度を設定する。実施の形態１では、ユーザ操作と常時更新画像との関連度が閾値よりも大きければ（ステップＳ６でＹＥＳ）、常時更新画像の更新頻度を第１頻度に設定し（ステップＳ７）、ユーザ操作と常時更新画像との関連度が閾値以下であれば（ステップＳ６でＮＯ）、常時更新画像の更新頻度を第２頻度に設定する（ステップＳ８）。常時更新画像の更新頻度の設定が完了すると、ステップＳ１に戻る。
【００６３】
また、本実施の形態では、操作入力部３１に対するユーザ操作が行われなかった場合（ステップＳ３でＮＯ）、ユーザ操作のない状態が規定の時間以上続いているか否かを確認する（ステップＳ９）。ユーザ操作のない状態が規定の時間以上続いていなければ（ステップＳ９でＮＯ）、そのままステップＳ３へ戻ってユーザ操作を待つ。しかし、その状態が規定の時間以上続いた場合は（ステップＳ９でＹＥＳ）、ステップＳ５に移行する。このときのステップＳ５では（すなわちステップＳ９からステップＳ５に移行した場合）、関連度判定部１４は、そのときのカーソルの位置にかかわらず、関連度を通常値と判定する。関連度の通常値は閾値よりも大きいので（ステップＳ６でＹＥＳ）、常時更新画像の更新頻度は第１頻度（通常頻度）に設定される（ステップＳ７）。ユーザ操作が規定の時間以上行われない場合に、常時更新画像の更新頻度を第２頻度にしたままにすると、ユーザの利便性が低下することが懸念されるが、この処理によって、その問題を回避できる。なお、常時更新画像の更新頻度を第２頻度にしてもユーザの利便性の低下の懸念がない場合には、この処理は省略してもよい（ステップＳ３でＮＯの場合、ステップＳ１またはステップＳ３に戻るようにしてもよい）。
【００６４】
関連度判定部１４および更新頻度制御部１５にて、図８に示した動作が行われることにより、図５〜図７で説明したような、ユーザ操作に応じた常時更新画像の更新頻度の制御が実現される。
【００６５】
上記の第２頻度の値は０であってもよい。その場合、更新頻度制御部１５は、ユーザ操作と常時更新画像との関連度が閾値以下のとき、常時更新画像の更新を停止させ、その後、当該関連度が閾値よりも大きいと判断されたときは、常時更新画像の更新を再開させる。ただし、第２頻度の値を０とする場合、常時更新画像の更新頻度が第２頻度に設定されたことで常時更新画像の更新が停止している状態は、図８のステップＳ２でＮＯと判定される。
【００６６】
また、上の説明では、ユーザ操作と常時更新画像との関連度が、カーソルによって選択された画像（操作の対象となる画像）が常時更新画像を含むか否かに応じて判定される例を示したが、関連度を判定する基準はこれに限られない。先に述べたように、ユーザ操作と常時更新画像との関連度は、操作情報に含まれる情報（例えば、操作の種別、操作の回数、操作の時間の長さ、操作による制御量、操作による制御方向、操作の対象となる画像およびその画像の表示領域、表示情報量、表示位置ならびに表示処理負荷、表示部の画面における操作の位置または領域を示す情報）のうちの１以上と、常時更新画像の種別、表示位置、表示領域、表示した情報の内容、表示数、表示処理負荷のうちの１以上の情報とに基づいて、判定されればよい。
【００６７】
図５〜図７では、アプリケーション画面の例として、メディア再生画面、ラジオ画面およびナビゲーション画面の３つを示したが、本発明はそれ以外のアプリケーション画面の表示にも適用可能である。例えば、電話機能を用いた通話アプリケーションの実行画面に適用する場合、通話時間や電波状態などを表示する画像を常時更新画像として規定し、通話相手の電話番号表示や通話開始／終了ボタンなどの画像を否常時更新画像として規定すればよい。
【００６８】
また、図５の再生状態表示画像１１０のように、同時に表示される複数の常時更新画像（プログレッションバーおよび再生時間表示）がある場合、個々の常時更新画像の更新頻度を独立して制御してもよい。つまり、更新頻度が第１頻度に設定される常時更新画像と、第２頻度に設定される常時更新画像が同時に表示されるようにしてもよい。
【００６９】
＜実施の形態２＞
実施の形態１においては、関連度判定部１４はユーザ操作と常時更新画像との関連度が閾値よりも大きいか否かを判定し、更新頻度制御部１５が設定する常時更新画像の更新頻度は２つの値（第１頻度と第２頻度）をとるように規定したが、実施の形態２では、それらが多段階的または連続的に変化するように規定する。なお、本実施の形態の情報表示システムの構成は、実施の形態１（図１）と同様である。
【００７０】
例えば、ユーザ操作と常時更新画像との関連度が、カーソルにより選択されている画像に応じて、０〜３の４つの値をとり得ると規定されていると仮定し、図２のメディア再生画面が表示部２１に表示される場合を考える。この場合、ユーザ操作と常時更新画像との関連度の判定方法として、カーソルが常時更新画像（プログレッションバーおよび再生時間表示）を含む再生状態表示画像１１０を選択しているときは当該関連度を３と判定し、カーソルが曲スキップボタン１１１または再生開始／停止ボタン１１２を選択しているときは当該関連度を２と判定し、カーソルが音量調整ボタン１０２を選択しているときは当該関連度を１と判定し、画面切り替えボタン１０１が選択しているときは当該関連度を０と判定することなどが考えられる。
【００７１】
同様に、図３のラジオ画面が表示部２１に表示されている場合であれば、カーソルが常時更新画像（各放送局の画像）を含む放送局表示画像１２０を選択しているときは、ユーザ操作と常時更新画像の関連度を３と判定し、カーソルが選局ボタン１２１を選択しているときは当該関連度を２と判定し、カーソルが音量調整ボタン１０２を選択しているときは当該関連度を１と判定し、画面切り替えボタン１０１が選択しているときは当該関連度を０と判定することなどが考えられる。さらに、図４のナビゲーション画面が表示部２１に表示されている場合であれば、カーソルが地図表示画像１３０（常時更新画像）を選択しているときは、ユーザ操作と常時更新画像の関連度を３と判定し、カーソルが縮尺調整ボタン１３１を選択しているときは当該関連度を２と判定し、カーソルが音量調整ボタン１０２を選択しているときは当該関連度を１と判定し、画面切り替えボタン１０１が選択しているときは当該関連度を０と判定することなどが考えられる。
【００７２】
更新頻度制御部１５は、関連度判定部１４が判定したユーザ操作と常時更新画像との関連度に応じて、常時更新画像の更新頻度を、多段階的または連続的に変化させる。つまり、更新頻度制御部１５は、ユーザ操作と常時更新画像との関連度が低下すると常時更新画像の更新頻度を下げ、ユーザ操作と常時更新画像との関連度が増加すると常時更新画像の更新頻度を上げるように動作する。また、実施の形態２では、常時更新画像の更新頻度の最高値（上限）を、更新頻度の通常値（通常頻度）と規定し、更新頻度が通常頻度に設定されるときの関連度を、関連度の通常値とする。
【００７３】
図９は、実施の形態２に係る情報表示システムにおける常時更新画像の更新頻度の制御動作を示すフローチャートである。図９において、ステップＳ１〜Ｓ５およびステップＳ９は、図８に示したものと同様であるので、それらのステップの説明は省略する。なお、図９のステップＳ５では、ユーザ操作と常時更新画像との関連度が、多段階的または連続的な値をとる。
【００７４】
図９に示す動作では、関連度判定部１４が、ユーザ操作が行われるごとに当該ユーザ操作と常時更新画像との関連度を判定し（ステップＳ５）、更新頻度制御部１５が、ユーザ操作と常時更新画像との関連度に応じて、常時更新画像の更新頻度を設定する（ステップＳ２０）。ステップＳ２０において更新頻度制御部１５が常時更新画像の更新頻度を決定する方法としては、例えば、予め定められた計算式（関連度と更新頻度との関係を規定した関数）を用いて算出する方法が考えられる。
【００７５】
すなわち、ステップＳ２０においては、関連度判定部１４が、ユーザ操作が行われるごとにユーザ操作と常時更新画像との関連度を判定し、更新頻度制御部１５が、当該関連度の変化に合わせて、常時更新画像の更新頻度を上下させる。
【００７６】
本実施の形態においては、ユーザ操作と常時更新画像との関連度が予め定められた閾値以下になった場合に、更新頻度制御部１５が、常時更新画像の更新頻度を０に設定し、常時更新画像の更新を停止させてもよい。その場合、当該関連度が上記の閾値よりも大きい値に戻ると、常時更新画像の更新を再開させる。ただし、常時更新画像の更新頻度が０に設定されたことで常時更新画像の更新が停止している状態は、図９のステップＳ２でＮＯと判定される。
【００７７】
また、本実施の形態においても、ユーザ操作と常時更新画像との関連度が、カーソルによって選択された画像（操作の対象となる画像）に応じて判定される例を示したが、関連度を判定する基準はこれに限られない。ユーザ操作と常時更新画像との関連度は、操作情報に含まれる情報（例えば、操作の種別、操作の回数、操作の時間の長さ、操作による制御量、操作による制御方向、操作の対象となる画像およびその画像の表示領域、表示情報量、表示位置ならびに表示処理負荷、表示部の画面における操作の位置または領域を示す情報）のうちの１以上と、常時更新画像の種別、表示位置、表示領域、表示した情報の内容、表示数、表示処理負荷のうちの１以上の情報とに基づいて、判定されればよい。
【００７８】
また、本実施の形態も、同時に複数の常時更新画像が表示されるアプリケーション画面に適用可能である。その場合、個々の常時更新画像の更新頻度を独立して制御し、更新頻度がそれぞれ異なる複数の常時更新画像が同時に表示されるようにしてもよい。
【００７９】
なお、本発明に係る情報表示システムは、コンピュータの演算負荷を低減できる点で、移動体に搭載される機器または携帯型の機器への利用に適しているが、本発明は、記憶媒体再生装置、放送受信装置、音響映像装置、ナビゲーション装置、情報処理装置、情報通信装置、運転支援装置、携帯情報機器などに広く適用可能である。
【００８０】
また、本発明は、その発明の範囲内において、各実施の形態を自由に組み合わせたり、各実施の形態を適宜、変形、省略することが可能である。
【符号の説明】
【００８１】
１０  情報表示制御装置、１１  表示処理部、１２  操作情報取得部、１３  全体制御部、１３ａ  アプリケーション実行部、１４  関連度判定部、１５  更新頻度制御部、２０  表示装置、２１  表示部、３０  操作入力装置、３１  操作入力部、１０１  画面切り替えボタン、１０１ａ  メディア再生画面選択ボタン、１０１ｂ  ラジオ画面選択ボタン、１０１ｃ  ナビゲーション画面選択ボタン、１０１ｄ  電話画面選択ボタン、１０２  音量調整ボタン、１０２ａ  音量アップボタン、１０２ｂ  音量ダウンボタン、１１０  再生状態表示画像、１１１  曲スキップボタン、１１１ａ  前曲スキップボタン、１１１ｂ  後曲スキップボタン、１１２  再生開始／停止ボタン、１２０  放送局表示画像、１２１  選局ボタン、１２１ａ  前局選択ボタン、１２１ｂ  後局選択ボタン、１３０  地図表示画像、１３１  縮尺調整ボタン、１３１ａ  拡大ボタン、１３１ｂ  縮小ボタン、１３２  現在地表示ボタン。
【図１】
2015219329.tif 000003
【図２】
2015219329.tif 000004
【図３】
2015219329.tif 000005
【図４】
2015219329.tif 000006
【図５】
2015219329.tif 000007
【図６】
2015219329.tif 000008
【図７】
2015219329.tif 000009
【図８】
2015219329.tif 000010
【図９】
2015219329.tif 000011